(57)【要約】【課題】簡易的な構成で充電機器への着脱を正しく認識し、かつ２次電池への充電時間を短くすることを可能とする。【解決手段】充電電流値情報取得手段（１１）が取得した充電電流値情報、および供給電圧値情報取得手段（１２）が取得した供給電圧値情報の少なくとも一方が、電圧変換処理停止条件を充足している場合に、停止／再開条件判断手段（１３）が降圧型ＤＣＤＣコンバータ（８）を停止させる。【選択図】図１
2014155422.tif 000002
【特許請求の範囲】
【請求項１】
外部接続端子を経由して２次電池に供給される充電電流の値を示す充電電流値情報を取得する充電電流値情報取得手段と、
上記外部接続端子を経由して供給される供給電圧の値を示す供給電圧値情報を取得する供給電圧値情報取得手段と、
上記充電電流値情報および上記供給電圧値情報の少なくとも一方を用いて、上記供給電圧を上記２次電池の充電電圧に変換する電圧変換処理を停止させる電圧変換処理停止条件を充足しているか否かを判断する停止条件判断手段と、
を備えていることを特徴とする充電制御装置。
【請求項２】
上記停止条件判断手段が上記電圧変換処理を停止させてから所定時間経過後、上記供給電圧値情報により示される供給電圧値が、所定の閾値以上である場合に、上記電圧変換処理を再開させる再開条件判断手段を備えていることを特徴とする、請求項１に記載の充電制御装置。
【請求項３】
上記停止条件判断手段が上記電圧変換処理を停止させてから、上記再開条件判断手段が上記電圧変換処理を再開させるまでの間、上記２次電池が充電中であるようにユーザに通知する充電状態通知処理を実行させる通知処理実行手段を、備えていることを特徴とする請求項２に記載の充電制御装置。
【請求項４】
請求項１から３のいずれか１項に記載の充電制御装置を備えていることを特徴とする電子機器。
【請求項５】
コンピュータを請求項１に記載の各手段として機能させるための充電制御プログラム。
【発明の詳細な説明】
【技術分野】
【０００１】
本発明は、充電制御装置に関し、特に携帯端末に内蔵された２次電池の充電を制御する充電制御装置、電子機器、および充電制御プログラムに関する。
【背景技術】
【０００２】
電子機器（携帯端末等）に係る充電機器への着脱検出方法は、充電機器の出力電圧を検出する方法が一般的である。例えば、充電機器からは電子機器に適合した電圧（例：ＵＳＢ  ５．０Ｖ）が出力されており、充電機器からの出力電圧が適正範囲（例：３．８Ｖ〜６．２Ｖ）内である場合、充電機器に装着されていると認識して充電処理動作を実行し、充電機器からの出力電圧が適正範囲（例：３．８Ｖ〜６．２Ｖ）外である場合、充電機器に装着されていないと認識して充電処理動作を停止する。
【０００３】
しかしながら、２次電池側の電圧条件や充電機器への着脱のタイミングによっては、２次電池側の電圧（例：４．０Ｖ）が逆流する場合があり、充電機器から出力される電圧の上記適正範囲（例：３．８Ｖ〜６．２Ｖ）を保持してしまうため、充電機器への着脱を正しく認識できない場合がある。
【０００４】
そこで、充電機器等の電圧検出回路に半導体素子を設けて、２次電池からの電圧の逆流を防止する方法が従来より提案されている。例えば、特許文献１には、定電圧／定電流制御された外部からの直流電力に対して、充電をＯＮ／ＯＦＦする半導体スイッチ、レギュレータ、およびリセットＩＣを用いた回路構成を充電制御装置内に設けることにより、外部供給される直流電力が途絶える不都合を防止する方法が記載されている。
【先行技術文献】
【特許文献】
【０００５】
【特許文献１】特開２００４−２６０９１０号公報（２００４年９月１６日公開）
【発明の概要】
【発明が解決しようとする課題】
【０００６】
しかしながら、上述のような従来技術は、２次電池への充電をＯＮ／ＯＦＦする半導体スイッチ（半導体素子）が必要であり、また、大きな充電電流を流すためには大容量の半導体素子が必要であるため、コストが高くなることや配置面積的な制約が発生するという問題がある。さらに、半導体素子の抵抗成分の電圧降下により、充電機器から出力される電圧が低下して、２次電池への充電時間が伸びてしまう問題もある。
【０００７】
本発明は、上記の問題点に鑑みてなされたものであって、その目的は、簡易的な構成で充電機器への着脱を正しく認識し、かつ２次電池への充電時間を短くすることを可能とすることにある。
【課題を解決するための手段】
【０００８】
上記の課題を解決するために、本発明の一態様に係る充電制御装置は、外部接続端子を経由して２次電池に供給される充電電流の値を示す充電電流値情報を取得する充電電流値情報取得手段と、上記外部接続端子を経由して供給される供給電圧の値を示す供給電圧値情報を取得する供給電圧値情報取得手段と、上記充電電流値情報および上記供給電圧値情報の少なくとも一方を用いて、上記供給電圧を上記２次電池の充電電圧に変換する電圧変換処理を停止させる電圧変換処理停止条件を充足しているか否かを判断する停止条件判断手段と、を備えているものである。
【発明の効果】
【０００９】
本発明の一態様によれば、上記充電電流値情報取得手段が取得した上記充電電流値情報、および上記供給電圧値情報取得手段が取得した上記供給電圧値情報の少なくとも一方が、上記電圧変換処理停止条件を充足している場合に、上記停止条件判断手段が上記電圧変換処理を停止させる。
【００１０】
このように電圧変換処理を停止すると、上記供給電圧を検出する電圧検出回路と、上記２次電池の正極とが切り離された状態となる。これにより、上記電圧検出回路の残留電荷を、上記充電電流を検出する電流検出回路と上記２次電池の負極との間に設けられた放電回路により瞬時に放電させることができる。
【００１１】
そして、電圧変換処理を停止して、上記電圧検出回路と、２次電池の正極とが切り離された状態となれば、上記２次電池から上記電圧検出回路への電流の逆流を阻止できる。これにより、上記供給電圧値情報取得手段が正確な供給電圧値情報を取得できる。それゆえ、正確な供給電圧値情報を用いて、上記充電制御装置が上記外部接続端子に対する外部電力供給装置への着脱を正しく認識でき、２次電池からの電流の逆流によって生じる充電状態の不一致を回避することが可能となる効果を奏する。
【００１２】
また、上記構成によれば、抵抗成分の高い半導体素子などのスイッチを使用することなく、上記停止条件判断手段が上記電圧変換処理を直接停止する。これにより、上記充電制御装置の回路規模を縮小して、上記充電制御装置の充電経路の抵抗成分を小さくできる。それゆえ、上記充電経路の抵抗成分の電圧降下を軽減でき、上記２次電池の充電時間が短縮可能となる効果を奏する。
【図面の簡単な説明】
【００１３】
【図１】本発明の一実施形態に係る充電制御装置を備えた携帯端末の構成を示す回路図である。
【図２】図１の充電制御装置により実行される動作のフローチャートである。
【発明を実施するための形態】
【００１４】
本発明の実施の一形態について図１および図２に基づいて説明すれば以下の通りである。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１５】
〔装置構成について〕
まず、図１に基づき、本発明を実現するための携帯端末２の概要構成について説明する。図１は、携帯端末２全体の概要構成を示すブロック図である。同図に示すように、携帯端末２は、充電制御装置１と、外部接続端子３と、電流検出回路４と、電圧検出回路５と、放電回路６と、ＤＣＤＣコンバータ制御回路７と、降圧型ＤＣＤＣコンバータ８と、２次電池９と、充電状態通知手段１０と、を備えている。
【００１６】
外部接続端子３は、携帯端末２の外部にある充電機器１００から出力される電力を２次電池９に供給するための入力端子である。電流検出回路４は、外部接続端子３を経由して２次電池９に供給される充電電流の値を検出する回路である。電圧検出回路５は、外部接続端子３を経由して降圧型ＤＣＤＣコンバータ８に供給される供給電圧の値を検出する回路である。放電回路６は、充電電流を検出する電流検出回路４と２次電池９の負極との間に設けられており、２次電池９から電圧検出回路５へ逆流した電流によって残留する、電圧検出回路５の残留電荷を放電させる回路である。残留電荷の放電時間は、一例として１ｍｓｅｃが挙げられる。
【００１７】
ＤＣＤＣコンバータ制御回路７は、充電制御装置１から送信される停止条件判断情報または再開条件判断情報に基づいて、降圧型ＤＣＤＣコンバータ８の電圧変換処理を、停止または再開する回路である。なお、停止条件判断情報とは、降圧型ＤＣＤＣコンバータ８の動作に係る停止の可否を示す情報であり、その詳細については、後述する。また、再開条件判断情報とは、降圧型ＤＣＤＣコンバータ８の動作に係る再開の可否を示す情報であり、その詳細についても後述する。
【００１８】
降圧型ＤＣＤＣコンバータ８は、外部接続端子３を経由して充電機器１００から供給された供給電圧を２次電池９に対応する適正な充電電圧に変換する電圧変換処理を実行し、２次電池９を充電するものである。充電状態通知手段１０は、２次電池９が充電中であることをユーザに通知するものである。充電状態通知手段１０の例としては、ＬＥＤを用いたものが挙げられる。
【００１９】
充電制御装置１は、充電電流値情報取得手段１１と、供給電圧値情報取得手段１２と、停止／再開条件判断手段１３と、通知処理実行手段１４と、を備えている。充電電流値情報取得手段１１は、携帯端末２に内蔵されている電流検出回路４が検出した充電電流の値を充電電流値情報として周期的に取得するものである。周期の一例として、省電力化の観点から２ｓｅｃが挙げられる。供給電圧値情報取得手段１２は、携帯端末２に内蔵されている電圧検出回路５が検出した供給電圧の値を供給電圧流値情報として取得するものである。
【００２０】
停止／再開条件判断手段１３は、充電電流値情報取得手段１１が取得した充電電流値情報および供給電圧値情報取得手段１２が取得した供給電圧値情報の少なくとも一方を用いて、降圧型ＤＣＤＣコンバータ８における電圧変換処理を停止させる電圧変換処理停止条件を充足しているか否かを判断するものである。さらに、停止／再開条件判断手段１３は、供給電圧値情報取得手段１２が取得した供給電圧値情報を用いて、降圧型ＤＣＤＣコンバータ８における電圧変換処理を再開させる電圧変換処理再開条件を充足しているか否かも判断するものである。
【００２１】
そして、停止／再開条件判断手段１３は、電圧変換処理停止条件を充足しているか否かを示す情報、すなわち、降圧型ＤＣＤＣコンバータ８の停止の可否を示す情報を、停止条件判断情報としてＤＣＤＣコンバータ制御回路７および通知処理実行手段１４に通知する。また、停止／再開条件判断手段１３は、電圧変換処理再開条件を充足しているか否かを示す情報、すなわち、降圧型ＤＣＤＣコンバータ８の再開の可否を示す情報を、再開条件判断情報としてＤＣＤＣコンバータ制御回路７および通知処理実行手段１４に通知する。
【００２２】
ここで、電圧変換処理停止条件についてより具体的に説明する。電圧変換処理停止条件とは、下記＜電流条件＞および＜電圧条件＞のうち、少なくとも一方が充足されている場合に、電圧変換処理を停止可能と判断する条件である。そして、上記＜電流条件＞および＜電圧条件＞とは、下記のとおりである。
＜電流条件＞充電電流値情報により示される充電電流の値が、所定の閾値以下であること。
＜電圧条件＞供給電圧値情報により示される供給電圧の値が、所定の閾値（例：４．４Ｖ）以下であること。
【００２３】
ここで、＜電流条件＞に用いられる閾値として、２つの値を準備してもよい。例えば、第１の閾値を３０ｍＡとし、第２の閾値を２５ｍＡとすればよい。なお、＜電流条件＞において第１の閾値が用いられた停止条件判断情報、および＜電圧条件＞の閾値が用いられた停止条件判断情報を、“第１停止条件判断情報”と記載し、＜電流条件＞において第２の閾値が用いられた停止条件判断情報を“第２停止条件判断情報”と記載する。また、＜電流条件＞における第１の閾値と第２の閾値との差分は、５ｍＡ程度にしておくことが好ましい。なぜなら、この差分を小さく設定しすぎると、測定精度や部品バラツキの関係で、電圧変換処理停止条件の判断を正確に行えなく場合があるためである。さらに、＜電圧条件＞に用いられる閾値は、２次電池９の最大電圧値以上にしておくことが好ましい。なぜなら、２次電池９から電圧検出回路５への電流の逆流によって生じる電圧検出回路５の最大電圧値は、２次電池９の最大電圧値となるためである。
【００２４】
また、電圧変換処理再開条件は、供給電圧値情報により示される供給電圧の値が、所定の閾値（例：３．０Ｖ）以下でない場合に、電圧変換処理を再開可能と判断する条件である。
【００２５】
通知処理実行手段１４は、停止／再開条件判断手段１３から送信される停止条件判断情報および再開条件判断情報に基づいて、充電状態通知手段１０に充電状態通知処理を実行または停止させる。
【００２６】
〔実施形態１〕
まず、図２を用いて、図１に示す構成の充電制御装置１の動作についての一例を詳しく説明する。本実施形態では、充電電流値情報により示される充電電流値が、電流条件に用いられる第１の閾値（例：３０ｍＡ）以下であることのみをトリガとして、降圧型ＤＣＤＣコンバータ８を停止可能とする場合で、Ｓ１〜Ｓ６を想定している。
【００２７】
例えば、外部接続端子３に充電機器１００が装着された状態から装着されていない状態に変化した場合、充電電流値情報取得手段１１により示される充電電流値が電流条件に用いられる第１の閾値（例：３０ｍＡ）以下となる。
【００２８】
このとき、停止／再開条件判断手段１３は、電圧変換処理停止条件を充足していると判断し（Ｓ１）、降圧型ＤＣＤＣコンバータ８が停止可能であることを示す情報を、第１停止条件判断情報として、ＤＣＤＣコンバータ制御回路７に送信する。そして、ＤＣＤＣコンバータ制御回路７は、停止／再開条件判断手段１３より送信された第１停止条件判断情報に基づいて、降圧型ＤＣＤＣコンバータ８の電圧変換処理を停止させる（Ｓ２）。なお、停止／再開条件判断手段１３が、電圧変換処理停止条件を充足していないと判断した場合、充電は継続される（Ｓ６）。
【００２９】
ここで、降圧型ＤＣＤＣコンバータ８の電圧変換処理が停止したとき、供給電圧を検出する電圧検出回路５と２次電池９の正極とが切り離された状態となる。そして、放電回路６は電圧検出回路５の残留電荷（例：４．２Ｖ）を瞬時に（例：１ｍｓｅｃ）放電し、電圧検出回路５は、外部接続端子３を経由して降圧型ＤＣＤＣコンバータ８に供給される正確な供給電圧を検出する。
【００３０】
上記構成によれば、充電電流値情報取得手段１１が取得した上記充電電流値情報、および供給電圧値情報取得手段１２が取得した上記供給電圧値情報の少なくとも一方が、上記電圧変換処理停止条件を充足している場合に、停止／再開条件判断手段１３が上記電圧変換処理を停止させる。
【００３１】
このように電圧変換処理を停止すると、上記供給電圧を検出する電圧検出回路５と、上記２次電池９の正極とが切り離された状態となる。これにより、電圧検出回路５の残留電荷を、上記充電電流を検出する電流検出回路４と２次電池９の負極との間に設けられた放電回路６により瞬時に放電させることができる。
【００３２】
そして、電圧変換処理を停止して、電圧検出回路５と、２次電池９の正極とが切り離された状態となれば、２次電池９から電圧検出回路５への電流の逆流を阻止できる。これにより、供給電圧値情報取得手段１２が正確な供給電圧値情報を取得できる。それゆえ、正確な供給電圧値情報を用いて、充電制御装置１が外部接続端子３に対する外部電力供給装置（充電機器１００）への着脱を正しく認識でき、２次電池９からの電流の逆流によって生じる充電状態の不一致を回避することが可能となる。
【００３３】
また、上記構成によれば、抵抗成分の高い半導体素子などのスイッチを使用することなく、停止／再開条件判断手段１３が上記電圧変換処理を直接停止する。これにより、上記充電制御装置１の回路規模を縮小して、充電制御装置１の充電経路の抵抗成分を小さくできる。それゆえ、上記充電経路の抵抗成分の電圧降下を軽減でき、２次電池９の充電時間が短縮可能となる。
【００３４】
そして、降圧型ＤＣＤＣコンバータ８が停止してから所定時間（例：２ｓｅｃ）の経過後、停止／再開条件判断手段１３は、供給電圧値情報により示される供給電圧値が、電圧変換処理再開条件に用いられる閾値（例：３．０Ｖ）以下であるか否かを判断する（Ｓ３）。
【００３５】
Ｓ３において、外部接続端子３に充電機器１００が装着されていないとすると、電圧検出回路５は供給電圧値として０.０Ｖを検出する。この場合、供給電圧値が閾値以下であるので、停止／再開条件判断手段１３は、電圧変換処理再開条件を充足していないと判断する。そして、停止／再開条件判断手段１３は、電圧変換処理再開条件を充足していない旨、すなわち降圧型ＤＣＤＣコンバータ８の電圧変換処理を再開させる必要がないことを示す情報を、再開条件判断情報として、ＤＣＤＣコンバータ制御回路７および通知手段実行手段１４に送信する。
【００３６】
そして、充電制御装置１は、停止／再開条件判断手段１３の再開条件判断情報に基づき、外部接続端子３に充電機器１００が装着されていないと認識し（Ｓ４）、２次電池９の充電が終了する（Ｓ５）。なお、ＤＣＤＣコンバータ制御回路７は、停止／再開条件判断手段１３から送信された再開条件判断情報に基づき、降圧型ＤＣＤＣコンバータ８の電圧変換処理を再開させない。
【００３７】
また、通知処理実行手段１４は、第１停止条件判断情報を受信してから、再開条件判断情報を受信するまでの間、充電状態通知処理を充電状態通知手段１０に実行させる。そして、停止／再開条件判断手段１３から、電圧変換処理を再開させる必要がないことを示す情報を再開条件判断情報として受信すると、通知処理実行手段１４は、充電状態通知手段１０に継続して実行させていた充電状態通知処理を停止させる。そして、ユーザは２次電池９の充電が終了したことを認識する。
【００３８】
上記構成によれば、停止／再開条件判断手段１３が上記電圧変換処理を停止したとしても、上記供給電圧値情報が所定の閾値以上である場合、通知処理実行手段１４は、２次電池９が充電中であることを、充電状態通知処理を介してユーザに通知する。
【００３９】
これにより、停止／再開条件判断手段１３が上記電圧変換処理を停止させてから、停止／再開条件判断手段１３が上記電圧変換処理を再開させるまでの間、上記電圧変換処理が実行されていないにも関わらず、通知処理実行手段１４はユーザに、２次電池９の充電状態が継続しているような見せかけの通知をすることが可能となる。
【００４０】
仮にこのような見せかけの通知を行わないとすれば、外部接続端子３に外部供給装置（充電機器１００）が装着されているのにもかかわらず、充電制御装置１の故障等により２次電池９が充電されていないとの誤解をユーザに与えてしまう可能性がある。
【００４１】
しかしながら、上記構成によれば、外部接続端子３に外部電力供給装置が装着されている状況においては、２次電池９の充電状態が継続しているようにユーザは認識することができる。それゆえ、ユーザが充電制御装置１の故障などの誤解をすることを防止できる。
【００４２】
〔実施形態２〕
次に、図２を用いて、図１に示す構成の充電制御装置１の動作についての別の一例を詳しく説明する。本実施形態では、充電電流値情報により示される充電電流値が、電流条件に用いられる第１の閾値（例：３０ｍＡ）以下であることのみをトリガとして、降圧型ＤＣＤＣコンバータ８を停止可能とする場合で、Ｓ１〜Ｓ１１を想定している。
【００４３】
例えば、２次電池９が満充電付近時で外部接続端子３に充電機器１００が装着されている場合、充電電流値情報により示される充電電流値が電流条件に用いられる第１の閾値（例：３０ｍＡ）以下となることがある。
【００４４】
まず、実施形態２においては、Ｓ１，Ｓ２，Ｓ３，およびＳ６のステップが実行される。これらのステップの詳細については、実施形態１と同様であるので、ここでの説明は省略する。
【００４５】
Ｓ３において、外部接続端子３に充電機器１００が装着されているとすると、電圧検出回路５は供給電圧の値（例：５．０Ｖ）を検出する。この場合、供給電圧値情報取得手段１２により示される供給電圧値が、電圧変換処理再開条件に用いられる閾値以下ではないため、停止／再開条件判断手段１３は、電圧変換処理再開条件を充足していると判断する。そして、停止／再開条件判断手段１３は、電圧変換処理再開条件を充足している旨、すなわち降圧型ＤＣＤＣコンバータ８の電圧変換処理を再開させる必要があることを示す情報を、再開条件判断情報として、ＤＣＤＣコンバータ制御回路７および通知手段実行手段１４に送信する。
【００４６】
そして、充電制御装置１は、停止／再開条件判断手段１３の再開条件判断情報に基づき、外部接続端子３に充電機器１００が装着されていると認識し（Ｓ７）、降圧型ＤＣＤＣコンバータ８は２次電池９の充電を再開する（Ｓ８）。
【００４７】
上記構成によれば、停止／再開条件判断手段１３が上記電圧変換処理を停止させてから所定時間経過後、上記供給電圧値情報により示される供給電圧値が、所定の閾値以上である場合、停止／再開条件判断手段１３が上記電圧変換処理を再開させる。
【００４８】
すなわち、閾値以下の上記充電電流値情報を用いて停止／再開条件判断手段１３が上記電圧変換処理を停止させることで、供給電圧値情報取得手段１２が正確な供給電圧値情報を取得できる。さらに、閾値以上の上記供給電圧値情報を用いて停止／再開条件判断手段１３が上記電圧変換処理を再開させることで、充電制御装置１が外部接続端子３に対する外部電力供給装置への装着を正しく認識しつつ、充電制御装置１が２次電池９への電力供給を制御できる。
【００４９】
それゆえ、２次電池９が満充電付近時で、外部接続端子３を経由して２次電池９に電力が供給されている場合、上記充電電流値情報により示される充電電流値が上記電圧変換処理停止条件に用いられる閾値以下であったとしても、充電制御装置１は正確な供給電圧値情報を用いて、２次電池９が満充電に至るまで継続して２次電池９に電力を供給することが可能となる。
【００５０】
また、通知処理実行手段１４は、第１停止条件判断情報を受信してから、再開条件判断情報を受信するまでの間、充電状態通知処理を充電状態通知手段１０に実行させる。そして、停止／開始条件判断手段１３から、電圧変換処理を再開させる必要があることを示す情報を再開条件判断情報として受信すると、通知処理実行手段１４は、充電状態通知手段１０に継続して実行させていた充電状態通知処理を停止させないため、ユーザは２次電池９の充電が継続中であることを認識する。
【００５１】
上記構成によれば、停止／再開条件判断手段１３が上記電圧変換処理を停止したとしても、上記供給電圧値情報が所定の閾値以上である場合、通知処理実行手段１４は、２次電池９が充電中であることを、充電状態通知処理を介してユーザに通知する。
【００５２】
これにより、停止／再開条件判断手段１３が上記電圧変換処理を停止させてから、上記停止／再開条件判断手段１３が上記電圧変換処理を再開させるまでの間、上記電圧変換処理が実行されていないにも関わらず、通知処理実行手段１４はユーザに、２次電池９の充電状態が継続しているような見せかけの通知をすることが可能となる。それゆえ、ユーザが充電制御装置１の故障などの誤解をすることを防止できる。
【００５３】
降圧型ＤＣＤＣコンバータ８が２次電池９の充電を再開してから所定時間（例：２ｓｅｃ）の経過後、停止／再開条件判断手段１３は、充電電流値情報により示される充電電流値が、電流条件に用いられる第２の閾値（例：２５ｍＡ）以下であるか否かを判断する。充電電流値が第２の閾値以下である場合（Ｓ９）、停止／再開条件判断手段１３は、降圧型ＤＣＤＣコンバータ８を停止させることを示す情報を、第２停止条件判断情報として、ＤＣＤＣコンバータ制御回路７および通知手段実行手段１４に送信する。
【００５４】
そして、ＤＣＤＣコンバータ制御回路７は、停止／再開条件判断手段１３より送信された第２停止条件判断情報に基づいて、降圧型ＤＣＤＣコンバータ８の電圧変換処理を停止させる（Ｓ１０）。そして、２次電池９の充電が終了する（Ｓ５）。なお、充電電流値情報により示される充電電流値が第２の閾値以下ではない場合、２次電池９の充電は継続される（Ｓ１１）。
【００５５】
また、通知処理実行手段１４は、再開条件判断情報を受信してから、第２停止条件判断情報を受信するまでの間、充電状態通知処理を充電状態通知手段１０に実行させる。そして、停止／開始条件判断手段１３から、降圧型ＤＣＤＣコンバータ８を停止させることを示す情報を第２停止条件判断情報として受信すると、通知処理実行手段１４は、充電状態通知手段１０に継続して実行させていた充電状態通知処理を停止させる。そして、ユーザは２次電池９の充電が終了したことを認識する。
【００５６】
〔実施形態３〕
次に、図２を用いて、図１に示す構成の充電制御装置１の動作についての別の一例を詳しく説明する。本実施形態では、供給電圧値情報により示される供給電圧値が、電圧条件に用いられる閾値（例：４．４Ｖ）以下であることのみをトリガとして、降圧型ＤＣＤＣコンバータ８を停止可能とする場合で、Ｓ１〜Ｓ６を想定している。
【００５７】
例えば、外部接続端子３に充電機器１００が装着された状態から装着されていない状態に変化した場合、供給電圧値情報取得手段１２により示される供給電圧値は、２次電池９から電圧検出回路５への電流の逆流によって生じる電圧検出回路５の電圧値、すなわち、２次電池９の電圧値（例：最大電圧値４．２Ｖ）となることがあり、電圧条件に用いられる閾値（例：４．４Ｖ）以下となる。
【００５８】
このとき、停止／再開条件判断手段１３は、電圧変換処理停止条件を充足していると判断し（Ｓ１）、続いてＳ２，Ｓ３，Ｓ４，Ｓ５，およびＳ６のステップが実行される。これらのＳ２〜Ｓ６の詳細については、実施形態１と同様であるので、ここでの説明は省略する。また、Ｓ１における電圧変換処理停止条件の充足性を判断する際に、実施形態１および実施形態２においては電流条件のみを用いる一方、実施形態３においては電圧条件のみを用いる点が相違している。
【００５９】
そして、電圧検出回路５が供給電圧値として０.０Ｖを検出することで、２次電池９の充電は終了し（Ｓ５）、通知処理実行手段１４は、充電状態通知手段１０の充電状態通知処理を停止させて、ユーザは２次電池９の充電が終了したことを認識する。
【００６０】
〔ソフトウェアによる実現例〕
充電制御装置１の各ブロックは、集積回路（ＩＣチップ）等に形成された論理回路（ハードウェア）によって実現してもよいし、ＣＰＵ（Central Processing Unit）を用いてソフトウェアによって実現してもよい。
【００６１】
後者の場合、充電制御装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記
録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６２】
〔まとめ〕
本発明の態様１に係る充電制御装置は、外部接続端子を経由して２次電池に供給される充電電流の値を示す充電電流値情報を取得する充電電流値情報取得手段と、上記外部接続端子を経由して供給される供給電圧の値を示す供給電圧値情報を取得する供給電圧値情報取得手段と、上記充電電流値情報および上記供給電圧値情報の少なくとも一方を用いて、上記供給電圧を上記２次電池の充電電圧に変換する電圧変換処理を停止させる電圧変換処理停止条件を充足しているか否かを判断する停止条件判断手段と、を備えている。
【００６３】
上記構成によれば、上記充電電流値情報取得手段が取得した上記充電電流値情報、および上記供給電圧値情報取得手段が取得した上記供給電圧値情報の少なくとも一方が、上記電圧変換処理停止条件を充足している場合に、上記停止条件判断手段が上記電圧変換処理を停止させる。
【００６４】
このように電圧変換処理を停止すると、上記供給電圧を検出する電圧検出回路と、上記２次電池の正極とが切り離された状態となる。これにより、上記電圧検出回路の残留電荷を、上記充電電流を検出する電流検出回路と上記２次電池の負極との間に設けられた放電回路により瞬時に放電させることができる。
【００６５】
そして、電圧変換処理を停止して、上記電圧検出回路と、２次電池の正極とが切り離された状態となれば、上記２次電池から上記電圧検出回路への電流の逆流を阻止できる。これにより、上記供給電圧値情報取得手段が正確な供給電圧値情報を取得できる。それゆえ、正確な供給電圧値情報を用いて、上記充電制御装置が上記外部接続端子に対する外部電力供給装置への着脱を正しく認識でき、２次電池からの電流の逆流によって生じる充電状態の不一致を回避することが可能となる。
【００６６】
また、上記構成によれば、抵抗成分の高い半導体素子などのスイッチを使用することなく、上記停止条件判断手段が上記電圧変換処理を直接停止する。これにより、上記充電制御装置の回路規模を縮小して、上記充電制御装置の充電経路の抵抗成分を小さくできる。それゆえ、上記充電経路の抵抗成分の電圧降下を軽減でき、上記２次電池の充電時間が短縮可能となる。
【００６７】
本発明の態様２に係る充電制御装置は、上記態様１において、上記停止条件判断手段が上記電圧変換処理を停止させてから所定時間経過後、上記供給電圧値情報により示される供給電圧値が、所定の閾値以上である場合に、上記電圧変換処理を再開させる再開条件判断手段を備えていてもよい。
【００６８】
上記構成によれば、上記停止条件判断手段が上記電圧変換処理を停止させてから所定時間経過後、上記供給電圧値情報により示される供給電圧値が、所定の閾値以上である場合、再開条件判断手段が上記電圧変換処理を再開させる。
【００６９】
すなわち、閾値以下の上記充電電流値情報を用いて上記停止条件判断手段が上記電圧変換処理を停止させることで、上記供給電圧値情報取得手段が正確な供給電圧値情報を取得できる。さらに、閾値以上の上記供給電圧値情報を用いて上記再開条件判断手段が上記電圧変換処理を再開させることで、上記充電制御装置が上記外部接続端子に対する外部電力供給装置への装着を正しく認識しつつ、上記充電制御装置が上記２次電池への電力供給を制御できる。
【００７０】
それゆえ、上記２次電池が満充電付近時で、上記外部接続端子を経由して上記２次電池に電力が供給されている場合、上記充電電流値情報により示される充電電流値が上記電圧変換処理停止条件に用いられる閾値以下であったとしても、上記充電制御装置は正確な供給電圧値情報を用いて、２次電池が満充電に至るまで継続して２次電池に電力を供給することが可能となる。
【００７１】
本発明の態様３に係る充電制御装置は、上記態様２において、上記停止条件判断手段が上記電圧変換処理を停止させてから、上記再開条件判断手段が上記電圧変換処理を再開させるまでの間、上記２次電池が充電中であるようにユーザに通知する充電状態通知処理を実行させる通知処理実行手段を、備えていてもよい。
【００７２】
上記構成によれば、上記停止条件判断手段が上記電圧変換処理を停止したとしても、上記供給電圧値情報が所定の閾値以上である場合、上記通知処理実行手段は、２次電池が充電中であることを、充電状態通知処理を介してユーザに通知する。
【００７３】
これにより、上記停止条件判断手段が上記電圧変換処理を停止させてから、上記再開条件判断手段が上記電圧変換処理を再開させるまでの間、上記電圧変換処理が実行されていないにも関わらず、上記通知処理実行手段はユーザに、上記２次電池の充電状態が継続しているような見せかけの通知をすることが可能となる。
【００７４】
仮にこのような見せかけの通知を行わないとすれば、外部接続端子に外部供給装置が装着されているのにもかかわらず、充電制御装置の故障等により２次電池が充電されていないとの誤解をユーザに与えてしまう可能性がある。
【００７５】
しかしながら、上記構成によれば、上記外部接続端子に外部電力供給装置が装着されている状況においては、２次電池の充電状態が継続しているようにユーザは認識することができる。それゆえ、ユーザが上記充電制御装置の故障などの誤解をすることを防止できる。
【００７６】
本発明の態様４に係る電子機器は、上記態様１から３のいずれか１態様に記載の充電制御装置を備えている構成であってもよい。
【００７７】
上記の構成によれば、充電制御装置が、簡易的な構成で充電機器への着脱を正しく認識でき、かつ２次電池への充電時間を短くすることを可能とする電子機器を実現できる。
【００７８】
本発明の各態様に係る充電制御装置は、コンピュータによって実現してもよく、この場合には、コンピュータを上記充電制御装置が備える各手段として動作させることにより上記充電制御装置をコンピュータにて実現させる充電制御装置の充電制御プログラム、およびそれを記録したコンピュータ読み取り可能な記録媒体も、本発明の範疇に入る。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８０】
本発明は、充電制御装置に適用できる。特に携帯端末に内蔵された２次電池の充電を制御する充電制御装置などに利用することができる。
【符号の説明】
【００８１】
１      充電制御装置
２      携帯端末
３      外部接続端子
９      ２次電池
１１    充電電流値情報取得手段
１２    供給電圧値情報取得手段
１３    停止／再開条件判断手段（停止条件判断手段、再開条件判断手段）
１４    通知処理実行手段
【図１】
2014155422.tif 000003
【図２】
2014155422.tif 000004